(57)【要約】【課題】化粧料容器の係止部が他の収納物と予期せぬ干渉又は、引っ掛かり状態が発生した場合でも、容器本体と蓋との係止が解除されない収納容器の誤動作防止機構を備えた化粧料容器を提供する。【解決手段】誤動作防止機構Ｋは、押しボタン１１が摺動するスライド部１２の下面１２Ａに傾斜面から構成されたすり鉢状の傾斜凹部１４を形成するとともに、この傾斜凹部１４に移動体である鋼球１５を設置する構成とした。【選択図】図２
2008174299.tif 000002
【特許請求の範囲】
【請求項１】
物品を収納可能な箱体と、この箱体を閉塞する蓋体とからなり、箱体と、蓋体とはヒンジを介して開閉自在に回動するとともに、箱体を蓋体により閉塞した状態で、蓋体の開口動作を防止する係止手段を設けた収納容器において、前記係止手段の下方に誤動作による係止解除を防止するための機構を設けたことを特徴とする収納容器の誤動作防止機構。
【請求項２】
前記係止手段が摺動するスライド面に、周囲が傾斜面よりなる、すり鉢状に形成された凹部を設けるとともに、この凹部に移動体を配し、この移動体を囲むようにボックス部を前記係止手段に形成したことを特徴とする請求項１に記載の収納容器の誤動作防止機構。
【請求項３】
前記移動体が鋼球であることを特徴とする請求項２に記載の収納容器の誤動作防止機構。
【請求項４】
前記収納容器が化粧料容器、コンパクト容器、宝石箱、携帯用電子機器、化粧用具容器、コンタクトレンズ容器、眼鏡容器、サングラス容器、付け爪容器、付けまつ毛容器、腕時計容器、小物入れ容器のいずれかであることを特徴とする請求項１〜３に記載の収納容器の誤動作防止機構。
【発明の詳細な説明】
【技術分野】
【０００１】  本発明は、主に収納容器の係止手段における誤動作防止機構であって、収納容器が使用者の手から離れて、例えばハンドバック、ポーチ、鞄、ポケットなどに収納された状態で収納容器が傾いた姿勢のままで係止手段に使用者の意図しない外力が働いた時、蓋が開口しない収納容器の誤動作防止機構に関する。
【背景技術】
【０００２】  従来の収納容器の誤動作防止機構は、実開平７−９２０５号公報（特許文献１）に開示されたものがある。【０００３】  実開平７−９２０５号公報の図１に示すように容器本体１の開口部に設けられた凹所２の片内側面には第１フック３が突設されている。また蓋８の開口部には、切溝１０が穿設されている。この切溝１０内に摺動自在にツマミ１２が組み込まれている。このツマミ１２には第２フック１１が突設されている。さらに第２フック１１の側面には、突起１５が突設されており、コイルスプリング１４が取り付けられている。この第２フック１１が凹所２の第１フック３に係合されている。この際、第２フック１１は、コイルスプリング１４によって第１フック３に常に付勢されている。【０００４】  上記のように構成されたコンパクト容器は、図２に示すように容器本体１に設けた蝶番凹所６に、蓋８に突設した蝶番部９を挿入して容器本体１に設けたピン穴７にピン止めすることによって、開閉自在に蝶着して構成されている。また、図５（Ｂ）、（Ｃ）に示すようにコイルスプリング１４の付勢力によって容器本体１と係止された蓋８を開く場合には、蓋８の開口部に取り付けられたツマミ１２を矢印方向（図４（Ａ）参照）へ摺動することによって、第１フック３に係合されていた第２フック１１を解除し、蓋８を開くことが出来る収納容器の誤動作防止機構を構成する構造を備えた化粧料容器であるコンパクト容器がある。
【特許文献１】  実開平７−９２０５号公報
【発明の開示】
【発明が解決しようとする課題】
【０００５】  しかしながら、上記した特許文献１に記載の化粧料容器（コンパクト容器）である収納容器の誤動作防止機構の構造にあっては、主に以下の欠点を有している。【０００６】（１）特許文献１の化粧料容器に於ける開閉構造で、とりわけ係止部が近年主流であるプッシュ式の開閉構造ではなくスライド式のため片手での操作ができず利用者にとって開閉操作が煩わしく、デサイン的にも見映えしないと言う欠点を有する。
（２）また、特許文献１の化粧料容器に於ける収納容器の誤動作防止機構を構成する構造では例えばハンドバック、ポーチ、鞄、ポケットなどに収納された状態でツマミ１２が他の収納物と予期せぬ干渉又は、引っ掛かり状態が発生した場合、矢印方向（特許文献１の図４（Ａ）参照）へ摺動し、特許文献１の図５（Ｂ）、（Ｃ）に示すように第１フック３に係合されていた第２フック１１が解除され、蓋８が予期せぬ開口をして化粧料容器（コンパクト容器）内の化粧料が飛散し、ハンドバック、ポーチ、鞄、ポケットなど汚すことなどの欠点を有する。
（３）また、特許文献１の化粧料容器にあっては開閉機構を構成する構造が複雑であり、フックの加工及び組立てに時間を費やすのでコストアップに繋がる欠点を有する。【０００７】  本発明は、上記した欠点を解決するためになされたもので、以下の収納容器の誤動作防止機構の提供を目的とするものである。【０００８】（１）化粧料容器に於ける開閉構造とりわけ係止部が近年主流であるプッシュ式の開閉構造にして使用者にとって開閉操作を簡単にし、優れたデサインの収納容器の誤動作防止機構を備えた化粧料容器の提供を目的とする。
（２）また、化粧料容器に於ける収納容器の誤動作防止機構が例えばハンドバック、ポーチ、鞄、ポケットなどに収納された状態で係止部が他の収納物と予期せぬ干渉又は、引っ掛かり状態が発生した場合でも、容器本体と蓋との係止が解除されず、従って化粧料容器内の化粧料が飛散せず、ハンドバック、ポーチ、鞄、ポケットなど汚すことなどがない収納容器の誤動作防止機構を備えた化粧料容器の提供を目的とする。
（３）また、化粧料容器の開閉機構を構成する構造をできるだけ簡素にしてフックの加工及び組立てに時間を軽減するとともにコストダウン可能な収納容器の誤動作防止機構を備えた化粧料容器の提供を目的とする。
【課題を解決するための手段】
【０００９】  上記した目的を達成するために、本発明に係る収納容器の誤動作防止機構は、物品を収納可能な箱体と、この箱体を閉塞する蓋体とからなり、箱体と、蓋体とはヒンジを介して開閉自在に回動するとともに、箱体を蓋体により閉塞した状態で、蓋体の開口動作を防止する係止手段を設けた収納容器において、前記係止手段の下方に誤動作による係止解除を防止するための機構を設けたことを特徴とする。【００１０】  係る構成により、本発明に係る収納容器の誤動作防止機構は、ヒンジを介して開閉自在に回動する収納容器において、予期せぬ干渉、又は、引っ掛かり状態が発生した場合でも係止手段が誤動作によって係止解除されることがなく、上記目的を達成可能な収納容器を提供できる。【００１１】  また、本発明に係る収納容器の誤動作防止機構は、前記係止手段が摺動するスライド面に、周囲が傾斜面よりなる、すり鉢状に形成された凹部を設けるとともに、この凹部に移動体を配し、この移動体を囲むようにボックス部を前記係止手段に形成したことを特徴とする。【００１２】  係る構成により、本発明に係る収納容器の誤動作防止機構は、従来の収納容器の係止手段のスライド面に、すり鉢状の凹部を形成し、この凹部に移動体を配置するだけの簡素な構造で、上記目的の内、特にプッシュ式の開閉構造に優れたデサインの収納容器の誤動作防止機構を備えるとともにコストダウンを達成可能な収納容器を提供できる。【００１３】  また、本発明に係る収納容器の誤動作防止機構は、前記移動体が鋼球であることを特徴とする。【００１４】  係る構成により、本発明に係る収納容器の誤動作防止機構は、すり鉢状の凹部を鋼球がスムーズに移動するとともに、この鋼球が通常市販されているベアリングなどで代用できるためコストダウンを達成可能な収納容器を提供できる。【００１５】  また、本発明に係る収納容器の誤動作防止機構は、前記収納容器が化粧料容器、コンパクト容器、宝石箱、携帯用電子機器、化粧用具容器、コンタクトレンズ容器、眼鏡容器、サングラス容器、付け爪容器、付けまつ毛容器、腕時計容器、小物入れ容器のいずれかであることを特徴とする。【００１６】  係る構成により、本発明に係る収納容器の誤動作防止機構は、化粧料容器に限定することなく、係止手段を設けた収納容器であればコンパクト容器、宝石箱、携帯用電子機器、化粧用具容器、コンタクトレンズ容器、眼鏡容器、サングラス容器、付け爪容器、付けまつ毛容器、腕時計容器、小物入れ容器のいずれかに適用可能であり、これらの収納容器において、予期せぬ干渉、又は、引っ掛かり状態が発生した場合でも係止手段が誤動作によって係止解除されることがなく、上記目的を達成可能な収納容器を提供できる。
【発明の効果】
【００１７】  本発明に係る収納容器の誤動作防止機構は、化粧料容器に於ける開閉構造とりわけ係止部が近年主流であるプッシュ式の開閉構造に適用可能となり、優れたデサインの化粧料容器が提供できる効果があった。【００１８】  また、本発明に係る収納容器の誤動作防止機構は、化粧料容器に於ける収納容器の誤動作防止機構が例えばハンドバック、ポーチ、鞄、ポケットなどに収納された状態で係止部が他の収納物と予期せぬ干渉又は、引っ掛かり状態が発生した場合でも、容器本体と蓋との係止が解除されず、従って化粧料容器内の化粧料が飛散せず、ハンドバック、ポーチ、鞄、ポケットなど汚すことなどがなくなる効果があった。【００１９】  また、本発明に係る収納容器の誤動作防止機構は、化粧料容器の開閉機構を構成する構造をできるだけ簡素にしてフックの加工及び組立てに時間を軽減するとともにコストダウンの効果があった。
【発明を実施するための最良の形態】
【００２０】  以下、本発明の好適な実施の形態をファンデーションなどの化粧料を収納した化粧料容器に適用したものであって添付した図面を参照しながら詳細に説明する。
図１は、本発明に係る収納容器の誤動作防止機構を備えた化粧料容器の斜視図である。
図２は、本発明に係る収納容器の誤動作防止機構の部分分解斜視図である。
図３（Ａ）は、本発明に係る収納容器の誤動作防止機構を備えた化粧料容器に於ける押しボタン部を押す前の状態を示す部分斜視図である。
（Ｂ）は、本発明に係る収納容器の誤動作防止機構を備えた化粧料容器に於ける押しボタン部を押した状態を示す部分斜視図である。
図４（Ａ）は、本発明に係る収納容器の誤動作防止機構を備えた化粧料容器に於ける蓋体を閉じた状態の押しボタン部と蓋体のフック部を示す部分断面図である。
（Ｂ）は、本発明に係る収納容器の誤動作防止機構を備えた化粧料容器に於ける押しボタン部を押して蓋体のフック部の係止を解除した状態を示す部分断面図である。
（Ｃ）は、本発明に係る収納容器の誤動作防止機構を備えた化粧料容器に於ける蓋体が開いた状態を示す部分断面図である。
図５（Ａ）は、本発明に係る収納容器の誤動作防止機構を備えた化粧料容器に於ける押しボタン部の収納容器の誤動作防止機構の作動を示す正面側から見た部分断面図である。
（Ｂ）は、本発明に係る収納容器の誤動作防止機構を備えた化粧料容器に於ける押しボタン部の収納容器の誤動作防止機構の作動を示す側面側から見た部分断面図である。
【実施例】
【００２１】  図１に示すように、本発明の収納容器の誤動作防止機構を備えた収納容器であるアイシャドーやグロスなどに使用されるカラーパレットと称される化粧料容器１は、箱体である容器本体１０と蓋体２０とからなり、この容器本体１０には色違いの化粧料２と、この化粧料２を詰める詰替え容器３および化粧筆などの化粧用具４が収納されるパレット５が収納部６に設置される。【００２２】  パレット５は、容器３が収納される複数の収納部５ａと化粧用具４を固定する凹部を形成してなる固定部５ｂとが一体に形成されている。また、容器本体１０を閉塞する蓋体２０の内側には化粧時に顔を写すための鏡７が装着されている。また、容器本体１０と蓋体２０とは化粧料容器１の後端に設けられた開閉機構であるヒンジ部３０を介して開閉自在に回動する。【００２３】  また、化粧料容器１は、容器本体１０を蓋体２０により閉塞した状態で蓋体２０の開口動作を防止する係止手段である押しボタン１１が取付けられている。また、蓋体２０には係止手段を構成するフック２１が垂下して設けられ概ね構成されている。【００２４】  収納容器の誤動作防止機構について図面を用いて詳細に説明する。
化粧料容器１における誤動作防止機構Ｋは、すでに図１で説明した蓋体２０に垂下して設けられたフック２１と係合する受け入れ側である押しボタン１１の下方に設けられている。【００２５】  図２に示すように押しボタン１１の上方には図１で説明したフック２１が位置する係止孔１１ａと左右にスライド溝１１ｂとが形成されている。また、図１で説明したフック２１と直接係合する係止片１１ｃが係止孔１１ａの後方に形成されている。このように構成された押しボタン１１は、容器本体１０の前方に一体に形成されたスライド部１２に摺動可能に取付けられている。【００２６】  また、スライド部１２の後壁１２Ｂには一対の弾性片１３が平面視で斜めに凸設されている。さらに左右の側壁１２Ｃには押しボタン１１の両側壁に凹設された一対のスライド溝１１ｂと係合する一対の突起１２ａが一体に凸設されている。この突起１２ａは、平面視で略三角形状を有しており、凹状のスライド溝１１ｂに突起１２ａが嵌った時に突起１２ａの直立面がスライドのストッパー部になって押しボタン１１の前後方向における摺動を規制し、押しボタン１１がスライド部１２から容易に外れることのない構造となっている。【００２７】  また、スライド部１２の下面１２Ａには傾斜面から構成されたすり鉢状の傾斜凹部１４が一体に形成されている。この傾斜凹部１４には容器本体１０の傾きによって移動する移動体である鋼球１５が載置されている。以上の如く誤動作防止機構Ｋが構成されている。鋼球１５は、所定の大きさ（直径）と重量であるならば市販のベアリングなどを使用してもよい。【００２８】  次に押しボタン１１の摺動について図３（Ａ）、（Ｂ）を用いて説明する。
図３（Ａ）に示すように容器本体１０のスライド部１２に配設された押しボタン１１は、この押しボタン１１の後端面１１Ａで突き当たっている一対の弾性片１３によって前方に付勢されている。この状態で押しボタン１１を矢印方向に押した状態となっている。【００２９】  また、図３（Ｂ）に示すように、押しボタン１１を押した状態で押しボタン１１の後端面で突き当たっている一対の弾性片１３は、略弓形状に変形して反発力を強めている。そしてスライド溝１１ｂに突起１２ａが突き当たった位置でスライド溝１１ｂは停止する。この状態でスライド溝１１ｂから指を離すことによって、一対の弾性片１３は、直線的な元の形状に復元してスライド溝１１ｂが図３（Ａ）の状態に戻り、押しボタン１１はスライド部１２を前後に摺動する。【００３０】  次に容器本体１０と蓋体２０との係止および解除について図４（Ａ）〜（Ｃ）を用いて説明する。
図４（Ａ）に示すように蓋体２０に凸設された係止手段であるフック２１は、押しボタン１１の係止孔１１ａに位置し、係止片１１ｃに引っ掛かって係止している。【００３１】  そして、図４（Ｂ）に示すように押しボタン１１を矢印方向押していくと、スライド溝１１ｂ（図３参照）は、スライド部１２（図３参照）をスライドし、この時、押しボタン１１の係止片１１ｃもまた同時に移動して、フック２１が係止片１１ｃから外れて係止状態が解除される。【００３２】  そして図４（Ｃ）に示すようにフック２１は、押しボタン１１の係止孔１１ａから外れてヒンジ部３０内に設けたねじりバネ（図示せず）の付勢力により、蓋体２０とともにヒンジ部３０（図１参照）を中心に回転するように開口する。【００３３】  次に誤動作防止機構Ｋの作動について図５（Ａ）、（Ｂ）を用いて説明する。
図５（Ａ）に示すようにスライド部１２に配設された押しボタン１１は、鋼球１５が抜け落ちないように三方に囲まれたボックス１１ｄ（図２参照）を形成されている。このボックス１１ｄは、化粧料容器１が左右にいずれか傾いた場合、鋼球１５が傾斜凹部１４の傾斜面を転がり、ボックス１１ｄで停止する。この状態で押しボタン１１を押しても鋼球１５によって図５（Ｂ）の位置までしか押すことができないのでフック２１が係止片１１ｃから外れることがない。【００３４】  同様に、図５（Ｂ）に示すように容器本体１０に形成され、スライド部１２に配設された押しボタン１１は、鋼球１５が抜け落ちないように三方を壁体に囲まれたボックス１１ｄが一体に形成されている。このボックス１１ｄは、化粧料容器１が前後に傾いた場合、鋼球１５が傾斜凹部１４の傾斜面を転がり、ボックス１１ｄで停止する。この状態で押しボタン１１を押しても鋼球１５によって押すことができないのでフック２１が係止片１１ｃから外れることがない。【００３５】  本発明に係わる収納容器の誤動作防止機構は、上記した化粧料容器以外に開閉蓋と係止手段とを備えた容器または容器類であれば適用可能である。その一例について図６乃至図８を用いて簡単に説明する。尚、誤動作防止機構の構造及び作動の詳細については上述した化粧料容器１と同様であるため省略する。
図６は、本発明に係る収納容器の誤動作防止機構を備えたコンパクト容器の斜視図である。
図７は、本発明に係る収納容器の誤動作防止機構を備えた宝石箱の斜視図である。
図８は、本発明に係る収納容器の誤動作防止機構を備えた携帯電子機器の斜視図である。【００３６】  図６に示すように、本発明に係る収納容器の誤動作防止機構を備えたコンパクト容器１−１は、化粧料２−１を収納した箱体である容器本体１０−１と、この容器本体１０−１を閉塞する蓋体２０−１とからなり、容器本体１０−１と蓋体２０−１とは上述したヒンジ部３０と同様の構造および機能を有するヒンジ部３０−１を介して開閉自在に回動するとともに、係止手段である押しボタン１１−１とフック２１−１を容器本体１０−１と蓋体２０−１の所定の箇所にそれぞれ備えている。【００３７】  そして、容器本体１０−１を蓋体２０−１が閉塞した状態で押しボタン１１−１を押すとフック２１−１が解除される。また、コンパクト容器１−１は、押しボタン１１−１の下面に設けられた上述した同様の構造と機能を有する収誤動作防止機構Ｋの作動によって予期せぬ干渉又は、引っ掛かり状態が発生した場合でも、容器本体１０−１と蓋体２０−１との係止が解除されることがない。【００３８】  また、図７に示すように、本発明に係る収納容器の誤動作防止機構を備えた宝石箱１−２は、指輪Ｒを収納した箱体である容器本体１０−２と、この容器本体１０−２を閉塞する蓋体２０−２とからなり、容器本体１０−２と蓋体２０−２とは上述したヒンジ部３０と同様の構造および機能を有するヒンジ部３０−２を介して開閉自在に回動するとともに、係止手段である押しボタン１１−２とフック２１−２を容器本体１０−２と蓋体２０−２の所定の箇所にそれぞれ備えている。【００３９】  そして、容器本体１０−２を蓋体２０−２が閉塞した状態で押しボタン１１−２を押すとフック２１−２が解除される。また、宝石箱１−２は、押しボタン１１−２の下面に設けられた上述した同様の構造と機能を有する誤動作防止機構Ｋの作動によって予期せぬ干渉又は、引っ掛かり状態が発生した場合でも、容器本体１０−２と蓋体２０−２との係止が解除されることがない。【００４０】  さらに、図８に示すように本発明に係る収納容器の誤動作防止機構を備えたＰＤＡ（Ｐｅｒｓｏｎａｌ  Ｄｉｇｉｔａｌ  Ａｓｓｉｓｔａｎｔ）や電子辞書などの携帯電子機器１−３は、キーや電子部品などを内蔵した機器本体である容器本体１０−３と、この容器本体１０−３を折り畳んで閉塞する主に液晶表示部１７を備えた蓋体２０−３とから構成されている。容器本体１０−３と蓋体２０−３とはヒンジ部３０−３を介して開閉自在に回動するとともに、係止手段である押しボタン１１−３とフック２１−３を容器本体１０−３と蓋体２０−３の所定の箇所にそれぞれ備えている。【００４１】  そして、容器本体１０−３を蓋体２０−３が閉塞した状態で押しボタン１１−３を押すとフック２１−３が解除される。また、携帯電子機器１−３は、押しボタン１１−３の下面に設けられた上述した同様の構造と機能を有する誤動作防止機構Ｋの作動によって予期せぬ干渉又は、引っ掛かり状態が発生した場合でも、容器本体１０−３と蓋体２０−３との係止が解除されることがない。【００４２】  本発明に係わる収納容器の誤動作防止機構は、本実施例ではアイシャドーやグロスなどの化粧料容器、収納容器、コンパクト容器、宝石箱、携帯電子機器を例に説明したが、収納容器が開閉蓋と係止手段とを備えた容器または容器類であれば、前述の他、化粧用具容器、コンタクトレンズ容器、眼鏡容器、サングラス容器、付け爪容器、付けまつ毛容器、腕時計容器、小物入れ容器のいずれかであっても適用可能であることは言うまでもない。
【図面の簡単な説明】
【００４３】
【図１】  本発明に係る収納容器の誤動作防止機構を備えた化粧料容器の斜視図である。
【図２】  本発明に係る収納容器の誤動作防止機構の部分分解斜視図である。
【図３】  （Ａ）は、本発明に係る収納容器の誤動作防止機構を備えた化粧料容器に於ける押しボタン部を押す前の状態を示す部分斜視図である。（Ｂ）は、本発明に係る収納容器の誤動作防止機構を備えた化粧料容器に於ける押しボタン部を押した状態を示す部分斜視図である。
【図４】  （Ａ）は、本発明に係る収納容器の誤動作防止機構を備えた化粧料容器に於ける蓋体を閉じた状態の押しボタン部と蓋体のフック部を示す部分断面図である。（Ｂ）は、本発明に係る収納容器の誤動作防止機構を備えた化粧料容器に於ける押しボタン部を押して蓋体のフック部の係止を解除した状態を示す部分断面図である。（Ｃ）は、本発明に係る収納容器の誤動作防止機構を備えた化粧料容器に於ける蓋体が開いた状態を示す部分断面図である。
【図５】  （Ａ）は、本発明に係る収納容器の誤動作防止機構を備えた化粧料容器に於ける押しボタン部の収納容器の誤動作防止機構の作動を示す正面側から見た部分断面図である。（Ｂ）は、本発明に係る収納容器の誤動作防止機構を備えた化粧料容器に於ける押しボタン部の収納容器の誤動作防止機構の作動を示す側面側から見た部分断面図である。
【図６】  本発明に係る収納容器の誤動作防止機構を備えたコンパクト容器の斜視図である。
【図７】  本発明に係る収納容器の誤動作防止機構を備えた宝石箱の斜視図である。
【図８】  本発明に係る収納容器の誤動作防止機構を備えた携帯電子機器の斜視図である。
【符号の説明】
【００４４】１      化粧料容器
１−１  コンパクト容器
１−２  宝石箱
１−３  携帯電子機器
２      化粧料
３      詰替え容器
４      化粧用具
５      パレット
５ａ    収納部
５ｂ    固定凹部
６      収納部
７      鏡
１０、１０−１、１０−２、１０−３  容器本体
１１、１１−１、１１−２、１１−３  押しボタン
１１Ａ  後端面
１１ａ  係止孔
１１ｂ  スライド溝
１１ｃ  係止片
１１ｄ  ボックス
１２    スライド部
１２Ａ  下面
１２Ｂ  後壁
１２Ｃ  側壁
１２ａ  突起
１３    弾性片
２０、２０−１、２０−２、２０−３  蓋体
２１、２１−１、２１−２、２１−３  フック
３０、３０−１、３０−２、３０−３  ヒンジ部
Ｋ      誤動作防止機構
【図１】
2008174299.tif 000003
【図２】
2008174299.tif 000004
【図３】
2008174299.tif 000005
【図４】
2008174299.tif 000006
【図５】
2008174299.tif 000007
【図６】
2008174299.tif 000008
【図７】
2008174299.tif 000009
【図８】
2008174299.tif 000010